(57)【要約】【課題】テンプル単体においてそのテンプルの表と裏とが明確になるようにし、テンプルの連結が適正に行なわれるようにする。【解決手段】着脱式テンプル１において、操作部４の突出する方向とは反対側であるもう一方のテンプル側面５に、このもう一方のテンプル側面５から操作部４の突出する方向とは反対方向に凸の突出嵩のある化粧部６を設け、テンプル長さ方向での操作部４の位置と化粧部の位置６とを近接させ、かつ操作部４が突出する方向と化粧部６の突出嵩の凸となる方向とを正反対にした。【選択図】図１
2007334129.tif 000002
【特許請求の範囲】
【請求項１】
メガネのフロントのヨロイ部に着脱可能に連結されるテンプルであり、テンプル先端の上下にテンプル上下方向にして突没可能に突出した一対の係止ピンと、一方のテンプル側面側からテンプル長さ方向に直交する側方に向けて突出して前記係止ピンの一方を没する方向に引き降ろし操作可能にした操作部とを備える連結手段を備えた着脱式テンプルにおいて、
前記操作部の突出する方向とは反対側であるもう一方のテンプル側面に、このもう一方のテンプル側面から前記操作部の突出する方向とは反対方向に凸の突出嵩のある化粧部を設け、テンプル長さ方向での操作部の位置と前記化粧部の位置とを近接させ、かつ前記操作部が突出する方向と前記化粧部の突出嵩の凸となる方向とを正反対にしたことを特徴とするメガネの着脱式テンプル。
【発明の詳細な説明】
【技術分野】
【０００１】
本発明はメガネのフロントに着脱可能に取り付けることのできるテンプルに関するものである。
【背景技術】
【０００２】
従来からメガネに対しては数々の工夫が提案されており、その一つとして、フロントの左右にあるヨロイ部に対してテンプルが簡単に取り付けることができるようにしたものがある。例えば、前記ヨロイ部を、上下に支持板を有した断面コ字状にするとともに、テンプル先端の上下にテンプル上下方向にして突没可能に突出するように付勢された一対の係止ピンを設け、それらの係止ピンを前記ヨロイ部の支持板それぞれに開口された小孔に嵌め入れ、係止ピンにてテンプルがヨロイ部に回動できるように連結したものがある（特許文献１参照）。
また、メガネの装飾性についてはフロントとテンプルとからなるメガネフレームの形状、色調、材質などを選択して整えられているが、より一層、メガネの装飾性を高める方法の一つとして、テンプルに各種の装飾具を設けることも行なわれている（特許文献２参照）。
【特許文献１】実用登録第３０１１１７７号公報
【特許文献２】特開２００４−１７７９０９号公報
【発明の開示】
【発明が解決しようとする課題】
【０００３】
さらに本出願人にあっては、上記フロントに対してテンプルを着脱可能とする工夫を有する提案を先に行なっていて、これは、テンプル先端の上下にテンプル上下方向にして突没可能に突出した一対の係止ピンを備えるとともに、一方のテンプル側面側からテンプル長さ方向に直交する側方に向けて突出して前記係止ピンの一方を没する方向に引き降ろし操作可能にしたピン状の操作部を備える連結手段によるものである。この連結手段を先端に配するテンプルでは、操作部を爪先などで押し下げることで係止ピンが没するようになり、その連結手段をヨロイ部に連結したり、連結していたヨロイ部から外すことによって、テンプルの交換も好みに応じて行なえるものとしている。
【０００４】
一方、連結手段を繋ぐ相手であるヨロイ部にあっては、断面略コ字状にして上下の支持板それぞれに上記係止ピンが係止する小孔を開口していて、テンプルの連結に際しては、例えば操作部にて一方の係止ピンを没しさせた状態にし、他方の係止ピンをヨロイ部の下の支持板の小孔に差し入れ、そして、没している係止ピンの位置をヨロイ部の上の支持板の小孔の位置に対応させ、操作部による押し下げを解除して没していた係止ピンを上の支持板の小孔に差し入れるようにしている。
【０００５】
上述した適正な連結操作をすることでヨロイ部の内方に、テンプル先端、即ち、連結手段が位置する部分が配置され、外方からはその連結手段がヨロイ部に隠されてメガネ着用時の外観を整えている。そして、ヨロイ部に連結されたテンプルをフロントの背部に重ねるようにすれば操作部はフロント側に向き、テンプルを開くとその操作部はメガネ幅に沿った方向に向くことになり、操作部自体がヨロイ部と干渉することはない。また、テンプルの取り外しが必要となったときには、前記操作ピンに爪先などを掛けて一方の係止ピンを没しさせて小孔から外すようにすれば、もう一方の係止ピンも簡単に小孔から外すことができるようになる。
【０００６】
ところで、テンプルには断面形状を縦板状にし、テンプル長さ方向に沿った側面として内外の二側面が形成されている形状のものが多いが、テンプルの前記二側面自体に、メガネ着用時に顔の側面に接することになる面とその反対側となる面とする印などが形成されているものではなく、耳掛け部分の形状などから、メガネ着用時に顔の側面に接することになる面とその反対側となる面との区別が付き易い。
【０００７】
しかしながら、近年のメガネデザインにおいては、テンプルを直線的な形状にして耳掛けの部分も直線状とするものが多くなっている。そのため、このような直線的な形状にして上述した着脱可能の連結手段を設けたテンプル単体では、メガネ着用時に顔の側面に接することになる面とその反対側となる面との区別が非常に付き難いものとなっている。
勿論、メーカー側や販売店側においては経験などからメガネ着用時に顔の側面に接することになる面とその反対側となる面との区別は容易であり、上記連結手段の操作部の向きによっても判断することができるが、一般の所有者が、ファッションアイテムとして同種のテンプル着脱式メガネを数多く取り揃えている場合、その所有者側ではテンプルそれぞれの二側面の位置、即ち、テンプルの表と裏とが区別し難いものとなっており、連結手段の操作部自体も小さく目立たないように処理されているものであるため、区別のための参考とされない場合が多い。
そして、所有者が任意に選び出したフロントとテンプルとを組み合わせる時に、そのテンプルの表と裏とを間違えたままでヨロイ部に連結手段の部分を無理矢理止め入れてしまうことがある。このようにテンプルの表と裏とを間違えて連結してしまうと、操作部がヨロイ部の内方側（縦板面側）に向いた状態となってしまい、操作部の下げ降ろし操作ができなくなるためにテンプルの取り外しが不能となる問題が引き起こされる可能性がある。
そこで本発明はテンプル単体においてそのテンプルの表と裏とが明確になるようにすることを課題とし、テンプルの連結が適正に行なわれるようにすることを目的とするものである。
【課題を解決するための手段】
【０００８】
本発明は上記課題を考慮してなされたもので、メガネのフロントのヨロイ部に着脱可能に連結されるテンプルであり、テンプル先端の上下にテンプル上下方向にして突没可能に突出した一対の係止ピンと、一方のテンプル側面側からテンプル長さ方向に直交する側方に向けて突出して前記係止ピンの一方を没する方向に引き降ろし操作可能にした操作部とを備える連結手段を備えた着脱式テンプルにおいて、前記操作部の突出する方向とは反対側であるもう一方のテンプル側面に、このもう一方のテンプル側面から前記操作部の突出する方向とは反対方向に凸の突出嵩のある化粧部を設け、テンプル長さ方向での操作部の位置と前記化粧部の位置とを近接させ、かつ前記操作部が突出する方向と前記化粧部の突出嵩の凸となる方向とを正反対にしたことを特徴とするメガネの着脱式テンプルを提供して、上記課題を解消するものである。
【発明の効果】
【０００９】
本発明においては、メガネのフロントのヨロイ部にテンプルを連結するに際し、操作部の位置に近い位置に化粧部があるため、その化粧部の向きによってテンプルの表と裏とが明確になり、表と裏とを間違えた連結を確実に防止できる。そして、テンプルの前方部分に化粧部が位置することになるため、メガネフレーム全体のファッション性をより強調し易くなる。
【発明を実施するための最良の形態】
【００１０】
つぎに本発明を図１に示す実施の形態に基づいて詳細に説明する。
図中１は着脱式テンプルで、該テンプル１はメガネのフロントのヨロイ部に着脱可能に連結されるものであり、着脱可能とするためにテンプル先端に連結手段２が配されている。前記連結手段２は上下にテンプル上下方向にして突出するように付勢されて突没可能とされた一対の係止ピン３と、一方のテンプル側面側からテンプル長さ方向に直交する側方に向けて突出して上向き凸の係止ピン３を没する方向に引き降ろし操作できるようにその上向き凸の係止ピン３に連結されているピン状の操作部４とを備えている。なお、一方のテンプル側面側で前記操作部４を押し下げることができるようにテンプル先端における一方のテンプル側面に縦溝（図示せず）が設けられている。
【００１１】
そして、この着脱式テンプル１において、上記操作部４の突出する方向Ａとは反対側であるもう一方のテンプル側面５に化粧部６が設けられていて、この化粧部６は、前記もう一方のテンプル側面５から操作部４の突出する方向Ａとは反対方向Ｂに凸とされた突出嵩がでるように形成されている。さらにこの化粧部６の位置は、テンプル長さ方向Ｃでの前記操作部４の位置と近接しており、化粧部６の位置と操作部４の位置とがテンプル長さ方向において近接した状態で、操作部４が突出する方向Ａと化粧部６の突出嵩の凸となる方向Ｂとが正反対となるように設けられている。
このように化粧部６と操作部４とが近い位置にあってそれぞれ凸となっている方向が正反対であるため、正規の方向においてテンプル裏側となる操作部４に対して化粧部６はテンプル表側となるが、化粧部６自体はこの化粧部６を目視さえすれば感覚的にテンプル表側（着用時に顔側面に接しない方向で外方となる側）に位置するものと判断されるため、目立たない操作部４を確認することなく適正にこの着脱式テンプル１をヨロイ部に連結することができるようになる。
上記化粧部６自体は例えば、装飾部材として通常に用いられる小型のラインストーンやエナメル材よりなる厚盛り塗工ができる塗材などを用いて形成することができ、ネールアートの手法のように上記もう一方のテンプル側面５の上に軟質時に接着性のあるベース塗膜を作り、その上に前記装飾部材の色彩や質感の選択、模様の選択などを設定しながらそれらの装飾部材を配置固定し、さらにオーバーコート材を塗工して全体を乾燥硬化させることにより突出量を不揃いにして凸凹感のあるデザインとすればよいが、この手法に限定されるものではない。また、テンプル自体の形状をストレート感の強いものとして図示したが、本発明はこの実施の形態に限定されるものではなく、耳掛りする部分でカーブするものなどであってもよい。
【図面の簡単な説明】
【００１２】
【図１】本発明のメガネの着脱式テンプルの一例を示す説明図である。
【符号の説明】
【００１３】
１…着脱式テンプル
２…連結手段
３…係止ピン
４…操作部
５…もう一方のテンプル側面
６…化粧部
Ａ…操作部の突出方向
Ｂ…化粧部の突出嵩のある方向
Ｃ…テンプル長さ方向
【図１】
2007334129.tif 000003